(57)【要約】【課題】  雨水等の本体内への侵入を確実に阻止することができる埋込形照明器具を提供する。【解決手段】  内部に光源２０を収納した有底筒状の本体１１と；本体１１の開口部１１ａ全周に設けられた環状の鍔部１１ｃと；鍔部１１ｃに周囲方向に間隔を有して設けられた複数の突出部材１５と；環状の鍔部１１ｃに嵌合して本体の開口部１１ａを閉塞する透光体１２と；透光体１２の外周部に設けられた環状のパッキング１３と；パッキング１３を圧着することにより鍔部１１ｃの突出部材１５に載置される環状の枠体１４と；を具備し、鍔部と枠体との間に隙間Ｘを形成する構成とする。【選択図】        図３
2006269187.tif 000002
【特許請求の範囲】
【請求項１】
内部に光源を収納した有底筒状の本体と；
本体の開口部全周に設けられた環状の鍔部と；
鍔部に周囲方向に間隔を有して設けられた複数の突出部材と；
環状の鍔部に嵌合して本体の開口部を閉塞する透光体と；
透光体の外周部に設けられた環状のパッキングと；
パッキングを圧着することにより鍔部の突出部材に載置される環状の枠体と；
を具備し、鍔部と枠体との間に隙間を形成することを特徴とする埋込形照明器具。
【請求項２】
前記突出部材は、凹部と嵌合して鍔部と枠体との間に隙間を形成することを特徴とする請求項１に記載の埋込形照明器具。
【請求項３】
前記突出部材は、枠体を鍔部に固定するボルトを螺着するナットで構成したことを特徴とする請求項１または２に記載の埋込形照明器具。
【発明の詳細な説明】
【技術分野】
【０００１】
本発明は、地中等に埋め込んで使用される埋込形照明器具に関する。
【背景技術】
【０００２】
近年、この種の埋込形照明器具は、庭園や歩道脇に埋め込んで家屋等、建築物の壁面等をライトアップするための照明器具として多用されている。
【０００３】
従来の埋込形照明器具は、図６に示すように、ランプを収納した有底筒状の本体１の開口部１ａにガラス体２を嵌め、ガラス体の外周部に設けたパッキング３を本体の開口部１ａに載置し、さらに枠体４でパッキング３の上方から鍔部５にわたってボルト６を締め付け、パッキング３を開口部１ａに対して圧着して防水対策を講じている。
【０００４】
上記のように構成された埋込形照明器具を、例えば、庭園等に設置する工事を行なう場合、あらかじめ地中に掘った埋込穴Ｇに有底筒状の本体１を埋込み、本体１の開口部１ａを地面に開放した状態で、上記のようにガラス体２、パッキング３、枠体４等を嵌め込み、ボルト６によって締め付ける工事となる。
【０００５】
このため、埋込穴周辺の土や砂利、ゴミ等の異物が本体の鍔部５に不用意に入り込む恐れがある。
【０００６】
大きな異物は手で取り除くことができるが、小さい砂利等は完全に取り除くことができずに残ることが多い。
【０００７】
鍔部５に砂利等の固い異物Ａが残って入り込むと、ボルト６を締めても異物Ａが障害となり、それ以上の締め付けができず、鍔部５の表面と枠体４の下面との間に不用な間隔ａが形成されてしまう。
【０００８】
このために、パッキング３は設計した所期の圧縮度まで充分に圧縮されず、防水効果が所期の性能通りに発揮できない問題が生じる。
【０００９】
また、鍔部５と枠体４との間に間隔ａが形成されてしまうため、雨水等が間隔ａから侵入し、パッキングが充分に圧縮されず防水効果が低下している状況と相まって、雨水等が本体１内に侵入してしまう恐れがある。
【００１０】
雨水等が本体内に侵入すると、本体内の安定器や端子盤等の部品を腐食させる恐れがある。
【００１１】
これは、ランプ交換等のメンテナンス時にも同様の問題が発生する。
【００１２】
このため、鍔部の内側周囲に凸状部を形成し、この凸状部にパッキングを載置し、凸状部による堤防的作用により雨水が本体内に侵入しないようにしたものがある（例えば、特許文献１）。
【特許文献１】実公平６−４８６７０号公報
【発明の開示】
【発明が解決しようとする課題】
【００１３】
しかしながら、特許文献１に示されるものは、雨水の侵入を阻止するものが堤防的作用をなす凸状をなしたもので、鍔部の内側周囲全体にわたり環状に突出した部分が存在する構成となる。
【００１４】
このため、土や砂利、ゴミ等の異物が凸状部の上に乗ったり、引掛かった場合には、上述した図６に示す従来例と同様、凸状部の上面と枠体である外枠の下面との間に不用な間隔が生じてしまう恐れがあり、雨水等の侵入は阻止できない。
【００１５】
このため、この種の埋込形照明器具においては、雨水等の本体内への侵入を、如何に確実に阻止するかが重要な課題となっている。
【００１６】
本発明は、上述した問題、課題を解決することを目的とし、雨水等の本体内への侵入を確実に阻止することができる埋込形照明器具を提供しようとするものである。
【課題を解決するための手段】
【００１７】
請求項１に記載の埋込形照明器具の発明は、内部に光源を収納した有底筒状の本体と；本体の開口部全周に設けられた環状の鍔部と；鍔部に周囲方向に間隔を有して設けられた複数の突出部材と；環状の鍔部に嵌合して本体の開口部を閉塞する透光体と；透光体の外周部に設けられた環状のパッキングと；パッキングを圧着することにより鍔部の突出部材に載置される環状の枠体と；を具備し、鍔部と枠体との間に隙間を形成することを特徴とする。
【００１８】
本発明において、鍔部に設けられた突出部材は、枠体との間に隙間を形成するものであり、従来のように堤防的作用をなす凸状ではなく、鍔部の周囲方向に略均等に分割した所定の間隔をもって隙間を形成するように設けることが好ましく、所定の間隔は防水効果等との関係を考慮して設計上で適宜選定すればよく、選定された全ての間隔をもって設けられた突出部材が許容される。
【００１９】
突出部材は、鍔部に一体に形成しても、別体の部材を溶接等の手段で設けてもよく、さらに別体の部材は、枠体を鍔部に固定するボルトを螺着するためのナットで構成することも許容する。
【００２０】
透光体は、透明または半透明の強化ガラスで構成することが好ましいが、合成樹脂で構成してもよく、その材質は限定されない。
【００２１】
パッキングは、断面がＵ字形をなす形状に構成し、透光体の外周部をＵ字の溝に嵌め込んで構成したものが好ましいが、断面形状はＵ字に限らず、Ｌ字もしくは平らな断面をなす環状のパッキングでもよく、透光体を本体との間で密閉させるための全ての形状のパッキングが許容される。
【００２２】
透光体の外周部に設けたパッキングは、枠体と本体の開口部との間に位置させて圧着させても、また枠体と鍔部との間に位置させて圧着させてもよい。
【００２３】
請求項２に記載の発明は、請求項１に記載の埋込形照明器具において、前記突出部材は、凹部と嵌合して鍔部と枠体との間に隙間を形成することを特徴とする。
【００２４】
請求項３に記載の発明は、請求項１または２に記載の埋込形照明器具において、前記突出部材は、枠体を鍔部に固定するボルトを螺着するナットで構成したことを特徴とする。
【発明の効果】
【００２５】
請求項１の発明によれば、鍔部に周囲方向に間隔を有して複数の突出部材を設け、鍔部と枠体との間に隙間を形成したので、雨水等の本体内への侵入を確実に阻止することができる埋込形照明器具を提供することができる。
【００２６】
請求項２の発明によれば、突出部材は凹部と嵌合して鍔部と枠体との間に隙間を形成するので、雨水等の本体内への侵入を確実に阻止することができると共に、突出部材の凹部への嵌合により、枠体を鍔部へ嵌め込む際の位置決めが確実に行え、かつ取付感が明確になるようにして施工性を向上することが可能な埋込形照明器具を提供することができる。
【００２７】
請求項３の発明によれば、雨水等の本体内への侵入を確実に阻止することができると共に、前記突出部材は、枠体を鍔部に固定するボルトを螺着するナットで構成したので、突出部材を設けるための新たな部品、取付けるための新たな工程等が不要となり、構成が簡素化されると共に、コスト的に有利な埋込形照明器具を提供することができる。
【発明を実施するための最良の形態】
【００２８】
以下、本発明の埋込形照明器具の実施形態につき、図１〜図５に従い説明する。
【実施例１】
【００２９】
１０は本発明の埋込形照明器具で、本体１１、本体の開口部を閉塞する透光体１２、透光体の外周部に設けられるパッキング１３、外枠となる枠体１４、フード１６及びフードに収納される点灯ユニット１７で構成する。
【００３０】
本体１１は、一端に開口部１１ａを有する有底円筒状の箱体をなし、開口部の内側周囲に環状の支持鍔１１ｂを一体に突出して形成する。
【００３１】
開口部１１ａの外周面に、断面が略Ｌ字状をなす環状の鍔部１１ｃを溶接等の手段で一体に取付ける。
【００３２】
鍔部の表面となるＬ字の水平部分に、貫通する６個の支持孔１１ｄを、環状をなす鍔部の周囲方向に均等に分割した位置に、換言すれば、等間隔に位置して形成し、各支持孔に対応して鍔部表面から上方に突出させて６個のナット１５を溶接等の手段で固定する。
【００３３】
このナット１５が本発明における突出部材を構成し、突出部材は、環状をなす鍔部の周囲方向に等間隔に位置して形成される（図２）。
【００３４】
開口部１１ａに形成した支持鍔１１ｂの下面に、３個の略Ｌ字状をなす支持片１１ｅを等間隔に溶接等の手段で固定する。この支持片は後述するフード１６を支持する。
【００３５】
これら本体１１、支持鍔１１ｂ、鍔部１１ｃ、支持片１１ｅは、防錆処理を施した鉄、ステンレス等の金属で構成する。
【００３６】
１２は本発明の透光体を構成するガラス体で、円板状の上面ガラス１２ａと下面ガラス１２ｂを貼り合わせて構成する。上面ガラスの直径は下面ガラスの直径より小となし、貼り合わせたガラス体１２の外周部上面に段部１２ｃが形成されるようにする。
【００３７】
２枚の上面及び下面ガラス１２ａ、１２ｂは、透明な強化ガラスで構成する。
【００３８】
パッキング１３は、シリコンで断面が略Ｕ字状で環状をなす形状に構成し、ガラス体１２の外周部の段部１２ｃにＵ字が形成する溝１３ａをシリコンの弾性を利用して嵌め込み、パッキング１３をガラス体１２に取付けて一体化する。
【００３９】
枠体１４は、鍔部１１ｃに上方から嵌合させることにより外枠としての機能を果すもので、鍔部１１ｃの内径と略等しいか、若干小なる外径を有して環状に構成し、アルミニウムのダイキャスト等で環状の段部１４ａを形成するように断面を略Ｌ字状に形成する。
【００４０】
この環状の段部１４ａの内径寸法は、パッキング１３の外径寸法と略同一に構成し、パッキングと一体化したガラス体１２を嵌め込んだ状態で段部１４ａにパッキング１３が合致して嵌め込まれるようにする。
【００４１】
枠体１４には、鍔部１１ｃのナット１５に対応してボルト１８を挿通するための６個の貫通孔１４ｂを形成し、貫通孔の底部にはナット１５の頭部がはまる凹部１４ｃを形成する。
【００４２】
枠体１４の凹部１４ｃをナット１５の頭部に嵌合することにより、鍔部１１ｃの表面と枠体１４の下面との間に隙間Ｘが形成される。
【００４３】
この隙間Ｘは、図２に示すように、鍔部１１ｃの周囲方向にナット１５で区切られて等間隔に形成される。
【００４４】
フード１６は、両端が開放した円筒状をなし内部に点灯ユニット１７を収納する。
【００４５】
フード１６は、本体１１内に挿入できるように本体より小なる径寸法及び長さに形成し、本体と同様に鉄、ステンレス等の金属で構成する。
【００４６】
点灯ユニット１７は、ランプ２０、反射体２１及びアングル２２からなり、アングルは略Ｖ字状をなす形状に形成し、Ｖ字の底部をＵ字形に形成して対向する両側面に、それぞれ上下に伸びる長孔２２ａ、２２ａを対向させて形成する（図４）。
【００４７】
Ｕ字形をなすアングルの底部には、同様にＵ字形をなすソケット金具２２ｂを嵌合し、ソケット金具の両側面に突出して設けたボルト２２ｃ、２２ｃをアングルの長孔２２ａ、２２ａに挿通し、長孔より突出した両側のボルトに、それぞれ蝶ねじ２２ｄ、２２ｄを取付ける。ソケット金具２２ｂにはソケット２２ｅを装着する。
【００４８】
両側の蝶ねじ２２ｄを緩めると、ソケット金具２２ｂがアングルの長孔２２ａに沿って上下に移動できるようになる。
【００４９】
反射体２１は、底部にランプ装着用の孔を形成し内面を鏡面に仕上げた略パラボラ形状をなす反射鏡で、ランプ装着用の孔をソケット２２ｅに挿通し、パラボラの開口部２１ａをアングルの両端部２２ｆに当接してねじ等で固定する。
【００５０】
ソケット２２ｅに放電灯等からなるランプ２０を装着して点灯ユニット１７を構成する。
【００５１】
上記に構成した点灯ユニットは、ソケット金具２２ｂがアングル２２の長孔２２ａに沿って上下に移動することにより、ランプ２０が反射体２１の光軸に沿って移動し、配光の調整を行うことができる。
【００５２】
上記のように構成した点灯ユニット１７は、反射体２１を上方にしてフード１６内に挿入され支持される。
【００５３】
次に、上記のように構成した各構成部品により埋込形照明器具を組み立てる作業手順を説明する。
【００５４】
なお、埋込形照明器具は上記の各構成部品が組み立てられた状態で搬送され、作業前に現地で分解し各構成部品は外しておく。
【００５５】
まず、照明器具を設置する所定の位置に、所定の大きさ、深さの埋め込み用の穴Ｇを掘る。
【００５６】
次に、別途に用意した設置ボックス３０を土の穴Ｇに挿入して設置する。
【００５７】
設置ボックス３０は、上端が開放した有底円筒状のボックスで、本体１１が挿入される径寸法及び長さを有して構成されている。
【００５８】
次に、あらかじめ地中に配線された電源線を設置ボックス３０の底部からボックス内に引き出し、点灯ユニット１７のソケット２２ｅに、安定器等の部品を介して結線する。同時にアース線の工事も施して電気配線を行う。
【００５９】
次に、目的とする配光で照明させるために、点灯ユニット１７の配光調整を行う。
【００６０】
まず、アングル２２の両側の蝶ねじ２２ｄを緩め、ソケット金具２２ｂをアングルの長孔２２ａに沿って上下に移動できる状態にする。
【００６１】
配光を狭角に設置する場合には、長穴２２ａの最下部までソケット金具２２ｂを移動し、左右の蝶ねじ２２ｄを締めて固定する（図４（ａ））。
【００６２】
これによりランプ２０がパラボラ反射体２１の光軸に沿って移動して反射体の奥側に配置され、狭角の配光が得られように設定される。
【００６３】
中角の配光に設置する場合には、長穴２２ａの最上部までソケット金具２２ｂを移動し、左右の蝶ねじ２２ｄを締めて固定する（図４（ｂ））。
【００６４】
これにより、ランプ２０が反射体２１の奥側からやや手前側（開口部２１ａ側）に配置され、中角の配光が得られるように設定される。
【００６５】
なお、長穴２２ａの長さの範囲内でランプ２０を移動することにより、狭角から中角の範囲で、任意に配光の調整を行うことができる。
【００６６】
必要に応じて反射体２１の前方にルーバーを設け、さらに配光を調整するようにしてもよい。
【００６７】
上記のように配光をセットした点灯ユニット１７を、フード１６内に挿入し、アングル２２両端部２２ｆ、２２ｆに、フードの外側の両側からボルト１９を挿入してねじ込み、点灯ユニット１７をフード１６に固定する。
【００６８】
点灯ユニット１７を収納し、固定した状態のフード１６を、本体１１内に挿入し、本体開口部１１ａの支持片１１ｅにフードの上端の縁を載置して、ねじ等で固定して支持する。
【００６９】
次に、埋め込まれた設置ボックス３０内に、フード１６、点灯ユニット１７を固定して構成した本体１１を挿入する。この際、本体１１を回転させて照射方向を合わせる。
【００７０】
次に、ガラス体１２にパッキング１３を嵌め込み、さらにパッキング１３を枠体１４の段部１４ａに嵌合しガラス体１２と枠体１４を一体化する。
【００７１】
このガラス体と一体化した枠体１４を、環状の鍔部１１ｃに嵌め込む。
【００７２】
この際、枠体１４を適宜回転させて、鍔部１１ｃから上方に突出させた６個のナット１５の頭部に、枠体１４の下面に形成した凹部１４ｃを落とし込み、「カチン」と落ちた音で枠体１４と鍔部１１ｃの嵌合が正しく行われたことを確認し、枠体１４の鍔部１１ｃに対する位置決めを行う。
【００７３】
上記により枠体１４の位置決めが完了したら、枠体の貫通孔１４ｂに６個のボルト１８を挿通し、鍔部１１ｃの６個のナット１５にねじ込む。６個のボルト１８はそれぞれ均一に圧力がかかるように締め付ける。
【００７４】
これにより、パッキング１３が枠体１４と本体開口部１１ａとの間で挟持された状態で、開口部１１ａに向かって圧着される。
【００７５】
この際、枠体１４は、ナット１５がストッパーの役目をなしてボルト１８の締め付けて行っても、それ以上には下降しない。
【００７６】
これによって鍔部１１ｃの表面と枠体１４の下面との間に、１ｍｍ以上、本実施形態では約４ｍｍの隙間Ｘが形成される。
【００７７】
隙間Ｘが形成されることにより、鍔部１１ｃの表面に土や砂利、ゴミ等の異物Ａが入り込んでも、ほとんどの異物は隙間Ｘの高さ寸法の範囲内で吸収さる大きさのものであり（１ｍｍ以上の大きな異物は、作業者の目について、手でほとんどが取り除かれる）、異物により枠体１４の締め付けが止まることはなく、隙間Ｘの範囲で充分にパッキングを圧着することができ、雨水等の本体１１内への侵入を確実に阻止することができる。
【００７８】
なお、枠体１４の下降がナット１５で停止した状態で、パッキング１３が充分圧着されるように、パッキング１３の厚さ寸法を設定しておく。
【００７９】
これにより本体１１の開口部１１ａにガラス体１２が固定され、開口部１１ａが水密にされた状態で閉塞される。
【００８０】
なお、必要に応じてガラス体１２の上面に保護ガードを取付けるようにしてもよい。
【００８１】
以上により、埋込形照明器具の組み立て作業が終了し、ランプに電源を供給して点灯し所定の照明を行う。
【００８２】
本実施形態において、鍔部１１ｃ表面と枠体１４下面との間に形成する隙間Ｘを、６個のナット１５による突出部で構成したが、鍔部の表面をプレス等で成形して、一体に凸部を等間隔に突出させて形成するようにしてもよい。
【００８３】
パッキング１３を枠体１４と本体の開口部１１ａとの間で挟持するようにしたが、図５に示すように、鍔部１１ｃの幅寸法を大きくして、鍔部１１ｃと枠体１４で挟持するように構成し、パッキング１３を鍔部１１ｃの表面に向けて圧着するようにしてもよい。
【００８４】
さらにパッキング１３はＵ字状でなく、図５に示すように、略Ｌ字状に形成してもよい。
【００８５】
点灯ユニット１７をフード１６に挿入して支持したが、点灯ユニットを直接本体１１内に収納して支持し、フード１６を省略するようにしてもよい。
【００８６】
ランプ２０を反射体２１の光軸に沿って上下に移動することにより配光を調整するようにしたが、反射体を光軸に対して傾けさせることができるように構成し、反射体の傾斜角度を変化させて配光の調整を行うようにしてもよい。
【００８７】
さらに、ランプを移動する方式と反射体の傾斜角度を変化させる両方式を設置して配光の調整を行うようにしてもよい。
【００８８】
本実施形態によれば、鍔部１１ｃから上方に突出させた６個のナット１５を突出部材となして、鍔部１１ｃの表面と枠体１４の下面との間に隙間Ｘを形成し、鍔部１１ｃの表面に土や砂利、ゴミ等の異物Ａが入り込んでも、ほとんどの異物は隙間Ｘの高さ寸法の範囲内で吸収し、異物Ａにより枠体１４のパッキング１３への締め付けが止まることはなく、充分な圧力でパッキングを圧着することができ、雨水等が本体１１内へ侵入することがなくなる。
【００８９】
また、突出部材を構成するナット１５は、枠体１４の凹部１４ｃと嵌合して隙間Ｘを形成するので、ナット１５の頭部に枠体１４の凹部が落とし込まれる操作で枠体１４と鍔部１１ｃの嵌合が正しく行われたことを確認し、枠体１４の鍔部１１ｃに対する位置決めを確実に行うことができ、設置工事の施工性を向上することができる。
【００９０】
突出部材を、枠体１４を鍔部１１ｃに固定するボルトのナット１５で構成したので、突出部材を設けるための新たな部品、取付けるための新たな工程等が不要となり、構成が簡素化されると共に、コスト的に安価な埋込形照明器具を提供することができる。
【００９１】
また、突出部材であるナット１５が、環状をなす鍔部の周囲方向に等間隔に位置して形成されており、枠体１４を６個のボルト１８で鍔部１１ｃに固定する際に、枠体の周囲方向にわたり均等にパッキングを圧着して固定することができ、パッキングに偏った圧着がかかることがなく、防水の施工不良を防ぐことができる。
【００９２】
さらに、点灯ユニット１７は、蝶ねじ２２ｄを緩めてソケット金具２２ｂをアングルの長孔２２ａに沿って上下に移動する簡単な操作で、多様な配光パターンを得ることが可能な埋込形照明器具を提供することができる。
【００９３】
従来は、反射体の鏡面仕上げや梨地仕上げ、さらにクリヤーランプやフロストバルブの選択、さらにはそれらの組み合わせによる数パターンの配光が得られるのみである。
【００９４】
本発明によれば、この従来の配光パターンに加えて狭角、中角、さらには狭角と中角にわたる任意の配光を調整することができ、多彩な照明効果を得ることができる。
【００９５】
また、埋込形照明器具は製品の特性上、埋込施工後に照射方向、配光などを現地で確認する必要があり、配光が異なっていた場合にはランプ、反射体等の再手配が必要になり、特に反射体の変更となると部品もしくは器具全体の再手配が必要となり、これら部品での交換が不可能な場合は、施工のやり直しになる事態も発生する。
【００９６】
本発明によれば、部品の再手配、施工のやり直し等をせずに、現地で配光の調節を行うことができる。
【００９７】
しかも、配光の調整は格別な工具を使用することなく、手で蝶ねじを操作することで行えるため、施工上も極めて便利である。
【００９８】
以上、本発明の好適な実施形態を説明したが、本発明は上述の実施形態に限定されることなく、本発明の要旨を逸脱しない範囲内において、種々の設計変更を行うことができる。
【図面の簡単な説明】
【００９９】
【図１】本発明の実施形態における埋込形照明器具を分解し、一部を切り欠いて示す斜視図。
【図２】同じく枠体を外して示す埋込形照明器具の上面図。
【図３】同じく埋込形照明器具の要部を拡大して示す断面図。
【図４】同じく点灯ユニットのアングルを示し、（ａ）はソケット金具を最下部まで移動した状態を示す斜視図、（ｂ）はソケット金具を最上部まで移動した状態を示す斜視図。
【図５】同じく埋込形照明器具の変形例の要部を拡大して示す断面図。
【図６】従来の埋込形照明器具の一部を拡大して示す断面図。
【符号の説明】
【０１００】
１０  埋込形照明器具
１１  本体
１１ａ  開口部
１１ｃ  鍔部
１２  透光体
１３  パッキング
１４  枠体
１４ｃ  凹部
１５  突出部材（ナット）
１８  ボルト
２０  光源（ランプ）
Ｘ  隙間
【図１】
2006269187.tif 000003
【図２】
2006269187.tif 000004
【図３】
2006269187.tif 000005
【図４】
2006269187.tif 000006
【図５】
2006269187.tif 000007
【図６】
2006269187.tif 000008